(57)【要約】回転式スクリーン印刷装置用スキージーユニットであって、スキージーユニットが取り付けられた回転式スクリーン印刷装置の運転中、回転式スクリーン印刷装置の円筒状スクリーンの内側に押されるように設計されたスキージーエッジ（３）を備えたスキージー（２）と、スキージーが取り付けられたスキージーホルダー（１）とを含むスキージーユニット。スキージーエッジ（３）は、スキージーホルダー（１）から離れ、そしてスキージーホルダーに向かって動かされ得る。スキージーエッジがバネの力によってスキージーホルダーから押し離されるように、弾性要素（１８）は、スキージーエッジ（３）とスキージーホルダー（１）との間に配置されている。スキージーユニットは、スキージーエッジ（３）がスキージーホルダーから離れる方向において、作動位置から多くて１ｍｍ、好ましくは多くて０.５ｍｍという比較的短い距離を動くことができるように設計された移動制限手段を備えている。
2005533683.tif 000002
【特許請求の範囲】
【請求項１】
回転式スクリーン印刷装置用スキージーユニットであって、
前記スキージーユニットが取り付けられた前記回転式スクリーン印刷装置の運転中、前記回転式スクリーン印刷装置の円筒状スクリーンの内側に押されるように設計されたスキージーエッジを備えたブレードスキージーと、
スキージーが固定されたスキージーホルダーであって、前記スキージーエッジが前記スキージーホルダーから遠ざかり、また前記スキージーホルダーに向かって動くことができる前記スキージーホルダーと、
前記スキージーエッジを弾性力によって前記スキージーホルダーから押し離すように、前記スキージーエッジと前記スキージーホルダーとの間に配置された弾性要素とを含み
前記スキージーホルダーから遠ざかる方向において、前記スキージーエッジが作動位置から比較的短い距離を動くことができるように設計された移動制限手段が備えられていることを特徴とするスキージーユニット。
【請求項２】
前記スキージーエッジは、作動位置から多くて１ｍｍ、好ましくは多くて０.５ｍｍの距離を動くことができる請求項１に記載のスキージーユニット。
【請求項３】
前記スキージーエッジは、前記移動制限手段によって画定された前記スキージーエッジの制限位置において、前記弾性要素により供給され、前記スキージーホルダーから遠ざかる方向へ向けられるプレストレス下にある請求項１又は２に記載のスキージーユニット。
【請求項４】
前記プレストレスのレベルは、調節可能である請求項３に記載のスキージーユニット。
【請求項５】
前記スキージーは、前記スキージーホルダーから遠ざかる方向に向けられた前記スキージーエッジが備えられ前記スキージーホルダーに関して自身の長軸方向に対して横向きに動くことができる少なくとも一つの細長くて剛体のスキージーバーにより形成されており、
前記弾性要素は、前記スキージーバーと前記スキージーホルダーとの間に配置された少なくとも一つの圧縮バネにより形成されており、
前記移動制限手段は、前記スキージーホルダー上に配置された移動リミッターと、前記スキージーバー上又は前記スキージーバー内に配置されて前記移動リミッターと相互に作用するストップにより形成されている請求項３又は４に記載のスキージーユニット。
【請求項６】
前記ストップは、前記スキージーバー内に形成され前記移動リミッターが係合するくぼみの縁によって形成されている請求項５に記載のスキージーユニット。
【請求項７】
前記スキージーバーは、前記スキージーバーの長軸方向に対して横向きに作用する一組の平行な板バネによって、前記スキージーホルダーに固定されている請求項５又は６に記載のスキージーユニット。
【請求項８】
前記スキージーバーは、少なくとも１つの細長いスキージーサポート断面と、該スキージーサポート断面に固定され、前記スキージーエッジを形成しており、及びわずかに弾力性がある材料から作られているエッジストリップとから成る請求項５から７のいずれかに記載のスキージーユニット。
【請求項９】
前記エッジストリップは、前記スキージーサポート断面に順番に固定されている前記スキージーブレード上に配置されており、その結果、前記スキージーサポート断面に緊張を伝える請求項８に記載のスキージーユニット。
【請求項１０】
少なくとも一つの前記圧縮バネの前記プレストレスは、前記圧縮バネの前記スキージーバーからの反対端を圧迫し、なおかつ位置が作動方向において調節可能なバネサポートによって、調節可能である請求項５から９のいずれかに記載のスキージーユニット。
【請求項１１】
前記バネサポートの位置は、前記バネサポートが前記スキージーホルダーに案内されるボール上に支持され、次に前記圧縮バネの作動方向に対して横向きに移動させられ得るくさび形ボールサポート上に支持されることによって、調節可能である請求項１０に記載のスキージーユニット。
【請求項１２】
それぞれ、結合された前記バネサポート、前記ボール及び前記くさび形ボールサポートを備えた２又はそれ以上の前記圧縮バネを備え、
前記ボールサポートは、前記スキージーホルダーの長軸方向に案内される細長いスライドバーに取り付けられ、又は該スライドバーの一部を形成している請求項１１に記載のスキージーユニット。
【請求項１３】
前記ブレードスキージーにおいて、断面において剛体であるように設計されている少なくとも一つの細長い前記スキージーバーにより形成されており、高い剛性を備えた少なくとも一つのバネヒンジを経て前記スキージーホルダーに固定されている請求項１又は２に記載のスキージーユニット。
【請求項１４】
前記スキージーバーは、少なくとも１つの細長い前記スキージーサポート断面と、該スキージーサポート断面に固定され、前記スキージーエッジを形成し、そしてわずかに弾力性がある材料から作られている前記エッジストリップから成っている請求項１３に記載のスキージーユニット。
【請求項１５】
前記エッジストリップは、前記スキージーサポート断面に緊張を伝える前記スキージーブレード上に配置されている請求項１４に記載のスキージーユニット。
【請求項１６】
前記スキージーサポート断面は、長軸方向において、相互に近接するセグメントに分割されている請求項１５に記載のスキージーユニット。
【請求項１７】
前記スキージーサポート断面は、前記スキージーホルダーの一部を形成する細長いバーと一体になった部分を形成し、
前記バネヒンジは、前記スキージーサポート断面と前記細長いバーとの間に配置され、該スキージーサポート断面の厚さより薄い厚さを有する中間部分により形成されている請求項１４から１６のいずれかに記載のスキージーユニット。
【請求項１８】
前記スキージーブレードは、細長く、横断面において略Ｌ字形であり、
前記エッジストリップの反対に位置されている前記スキージーブレードの長軸エッジ部分は、前記細長いバー内の溝に押し付けられており、該エッジストリップが配置される前記スキージーブレードの区画は、前記スキージーサポート断面に対して緊張を伝える請求項１４から１７のいずれかに記載のスキージーユニット。
【請求項１９】
前記エッジストリップの隣に配置された前記スキージーブレードの長軸エッジが、前記スキージーサポート断面の縁上の突起を圧迫することにより、前記スキージーブレードは、前記スキージーサポート断面に関して位置される請求項１８に記載のスキージーユニット。
【請求項２０】
ヒンジバネの剛性は、前記スキージーホルダーに関する前記スキージーエッジの０.１ｍｍの垂直移動に対し、スキージー幅のミリメーター当り０.１〜１.０Ｎ、好ましくは０.４〜０.８Ｎ、特に０.６Ｎの力が要求される請求項１３から１９のいずれかに記載のスキージーユニット。
【発明の詳細な説明】
【技術分野】
【０００１】
本発明は、回転式スクリーン印刷装置用スキージーユニットであって、スキージーユニットが取り付けられた回転式スクリーン印刷装置の運転中、回転式スクリーン印刷装置の円筒状スクリーンの内側に押されるように設計されたスキージーエッジを備えたブレードスキージーと、スキージーが固定されたスキージーホルダーであって、スキージーエッジがスキージーホルダーから遠ざかり、またスキージーホルダーに向かって動くことができるスキージーホルダーと、スキージーエッジが、バネに抗してスキージーホルダーに向かって押され得るように、スキージーエッジとスキージーホルダーとの間に配置された弾性要素とを含むスキージーユニットに関する。
【背景技術】
【０００２】
このタイプのスキージーユニットは、実際には、様々な設計において知られている。広く一般に使用する設計では、スキージーは、細長い金属のスキージーブレード、及び、長手方向においてそれにフィットし、スキージーエッジを形成し、硬いエラストマー材料で作られているエッジストリップを含むので、印刷するための材料における不均一が克服され得る。スキージーブレードは、スキージーエッジと反対の長軸側で、スキージーホルダー内に押し付けられる。スキージーブレードは弾力性があり、スキージーエッジの配置、及びスキージーホルダーからスキージーエッジへの力の伝達を担っている。スキージーユニットが取り付けられた回転式スクリーン印刷装置の運転中、スキージーホルダーは、スキージーエッジが円筒形のスクリーンの内側に定められたプレストレスで圧縮され、弾力性のあるスキージーブレードがわずかに変形するように、配置されている。回転式スクリーン印刷装置において、例えば逆圧ロールのような逆圧を供給する要素は、円筒状スクリーンの外側におけるスキージーエッジの反対に存在する。
【０００３】
従来のスキージーユニットは、スキージーエッジが円筒状スクリーンの内側に圧縮される場合において、逆圧が消滅し、スキージーエッジが過度に円筒状スクリーンを変形させることができ、その結果それを傷つけるという欠点を有していた。
【０００４】
逆圧が消滅する例は、以下の通りである。
−逆圧ロールが軸方向において印刷される基板を保持又は配置するためのギャップを有している回転式スクリーン印刷装置が、凹版印刷又はオフセット枚葉給紙回転式印刷機に組み込まれているときである。逆圧は、ギャップの位置で消滅する。
−回転式スクリーン印刷装置が、半回転式フレキソ印刷、凸版印刷又はオフセット印刷機に組み込まれている時である。この場合、印刷される基板巻取り紙は、次の印刷サイクルのために配置され得るために、印刷サイクルの一部の間、どんな印刷システムからの接触からもフリーでなければならないが、新たな印刷サイクルの開始の際、要求される全てのスキージー設定はすぐに利用可能でなければならない。
−分離した相当の厚さの基板を扱う（印刷する）ための回転式スクリーン印刷装置の場合、例えば、EP0 974 458A1．に記載されているような場合である。この場合、逆圧ロールは、存在する必要がない。コンベヤーシステム上に横たわっている基板自身は、逆圧を供給する。逆圧は、基板の縁で消滅する。
【発明の開示】
【発明が解決しようとする課題】
【０００５】
本発明の目的は、上述の欠点を有していない、導入部において記述されたタイプのスキージーユニットを提供することである。
【課題を解決するための手段】
【０００６】
この目的は、回転式スクリーン印刷装置用スキージーユニットであって、スキージーユニットが取り付けられた回転式スクリーン印刷装置の運転中、回転式スクリーン印刷装置の円筒状スクリーンの内側に押されるように設計されたスキージーエッジを備えたスキージーブレードと、スキージーが固定されたスキージーホルダーであって、スキージーエッジがスキージーホルダーから遠ざかり、またスキージーホルダーに向かって動くことができるスキージーホルダーと、スキージーエッジが、バネに抗してスキージーホルダーに向かって押され得るように、スキージーエッジとスキージーホルダーとの間に配置された弾性要素とを含み、スキージーホルダーから遠ざかる方向において、スキージーエッジが作動位置から比較的短い距離を動くことができるように設計された移動制限手段が備えられていることを特徴とするスキージーユニットにより達成される。
【０００７】
本発明に係るスキージーユニットが回転式スクリーン印刷装置において使用される時、スキージーホルダーは円筒状スクリーンに関して、スキージーエッジが予め設定された力で円筒状スクリーンの内側に押されるように設定され得るが、逆圧が消滅した時、スキージーエッジは単独で比較的短い距離を動き、こうして円筒状スクリーンがスキージーエッジにより過度に変形され、損傷を受けることを防ぐ。
【０００８】
スキージーエッジが動き得る距離は、多くて１ｍｍである。この距離は、好ましくは多くて０.５ｍｍである。
【０００９】
本発明に係るスキージーユニットの更なる実施形態は、独立の請求項において定義される。
【発明を実施するための最良の形態】
【００１０】
本発明は、図を参照して、スキージーユニットのいくつかの実施形態に係る以下の記載において説明される。
【００１１】
図１〜４は、本発明に係るスキージーユニットの第１の実施形態を示す。スキージーユニットは、説明中、符号１で表示される。スキージーユニットは、スキージーエッジ３を備えたスキージー２を含み、このスキージーエッジ３は、回転式スクリーン印刷装置の運転中、スキージーユニット１が取り付けられた回転式スクリーン印刷装置の円筒状スクリーン４（図４に図示されている）の内側を圧迫するように設計されている。この例において、望ましい逆圧は、図示された逆圧ロール５により供給される。印刷される基板６は、円筒状スクリーン４と逆圧ロール５との間を進む。スキージーエッジ３の位置で、スキージー２により円筒状スクリーン４に押し付けられたプリントペーストは、符号７で表示される。逆圧は、他の塗装において、平らなコンベヤーシステム上に横たわりながら供給される剛体かつ分離した基板によってもまた供給され得る。
【００１２】
スキージーユニット１はまた、スキージー２が固定されるスキージーホルダー１１も含む。剛体のスキージーホルダー梁２６は、スキージーホルダー１１のための基礎を形成する。
【００１３】
スキージー２は、スキージーサポート断面１２の形をとる細長くて剛体のスキージーバーおよび、スキージーサポート断面１２に固定されておりスキージーエッジ３を形成するエッジストリップ１３により形成されており、なおかつ、例えばポリエチレンのようなエラストマー材料のように、硬さを備えたわずかに弾力性がある材料から作られているので、印刷されるための材料における不均一は克服され得る。エッジストリップ１３は、順番にスキージーサポート断面１２に固定されるスキージーブレード１４上に配置され、その結果、スキージーサポート断面１２に対して緊張を伝える。スキージーブレード１４は、ボルト１５又は他の好適な固定手段によって、スキージーサポート断面１２に固定されている。（図４参照）
スキージーサポート断面１２は、スキージーサポート断面１２の長手方向に対して横向きに作用する平行した板バネ１６の組により、スキージーホルダー１１に固定されている。板バネ１６は、ボルト１７又は他の好適な固定手段により、一方はスキージーサポート断面１２に、もう一方はスキージーホルダー梁２６に固定されたバー２７に固定されている。板バネ１６の使用により、スキージーサポート断面１２は、原則として、それ自身に平行にスキージーホルダー１１から離れ、そしてスキージーホルダー１１へ向かって動くことができる。この動きは、原則として、ヒステリシスの自由である。
【００１４】
スキージー２は、スキージー２とスキージーホルダー１１との間に配置された１またはそれ以上の圧縮バネ１８により、スキージーホルダー１１から押し放される。スキージーホルダー１１から離れる方向へのスキージー２の動きは、スキージーホルダー梁２６に配置された移動リミッター１９と、移動リミッター１９と相互に作用するストップ２０とにより形成された移動制限手段により制限されている。このストップ２０は、スキージーサポート断面１２内に配置されており、スキージーサポート断面１２内に形成されたくぼみ２１の縁により形成されている。移動リミッター１９は、くぼみ２１と係合する。
【００１５】
圧縮バネ１８は、スキージーユニットが取り付けられた回転式スクリーン印刷装置の運転中、スキージーエッジ３が予め設定された力で円筒状スクリーン４の内側に押されることを確実にする。逆圧が消滅した時、ストップ２０は、移動リミッター１９に接触する。圧縮バネ１８のバネ力の作用下において、ストップ２０は、予め設定されたプレストレスでストップリミッター１９上に押される。
【００１６】
移動リミッター１９及びストップ２０は、逆圧が消滅した時、スキージーエッジ３が単独で作動位置から多くて１ｍｍ、好ましくは多くて０.５ｍｍの距離を動き得るように設計されている。実際には、スキージーエッジが動くことができる距離は、略０.３ｍｍである。
【００１７】
それぞれの圧縮バネ１８のバネ力は、バネサポート２２により、調節され得る。このバネサポート２２は、圧縮バネ１８のスキージーサポート断面１２からの反対端を圧迫し、圧縮バネ１８の作動方向において位置が調節され得る。バネサポート２２の位置は、バネサポート２２がスキージーホルダー梁２６内に案内されるボール２３上で支持され、次に、圧縮バネ１８の作動方向に対して横方向に取り外され得るくさび形のボールサポート２４上で支持されることによって調節され得る。圧縮バネ１８、バネサポート２２及びボール２３は、スキージーホルダー梁２６内に形成された内腔２８に収容されている。多数の圧縮バネ１８が使用されると、くさび形のボールサポート２４は、スキージーホルダー梁２６内で長手方向において溝２９に案内される細長いスライドバー２８に取り付けられ、又は、それの一部を形成する（図３参照）。ボール２３から遠い側において、スライドバー２５は、スキージーホルダー梁２６に固定された閉鎖バー３０により支持されている。
【００１８】
回転式スクリーン印刷装置（図示せず）において、スキージーホルダー１１を取り付け可能な取り付けサポート３１及び３２は、スキージーホルダー１１の端部で固定されている。取り付けサポート３１及び３２は、スキージーユニット１を圧迫する回転式スクリーン印刷装置の部分に配置されている曲がった保持溝に係合するホールドピン３３及び３４が備えられている。
【００１９】
スキージーホルダー１１は、曲がったホールド溝内のホールドピン３３及び３４の移動により、その長軸周りを、スキージーユニット１を圧迫する部分について回転できるので、スキージー角度α、すなわちスキージーエッジ３を形成するエッジストリップ１３と円筒状スクリーン４との間の角度（図４参照）は、圧縮バネ１８の圧縮力の設定とは無関係に適合させられ得る。
【００２０】
ガイドブロックとしても作用するハンドル３５は、取り付けサポート３１に固定されている。ハンドル３５上に、ボールサポート２４を伴うスライド２５の移動によってスキージー圧力を設定するために使用されるボタン３６がある。設定されるスキージー圧力は、ハンドル３５上に配置されたインジケーター３７を経由して読み取られ得る。
【００２１】
図１〜３は、インク又はプリントペーストを供給するためのパイプ３９と、インク又はプリントペーストのレベルを制御するためのパイプ４０も示す。
【００２２】
図５〜８は、本発明に係るスキージーユニットの第２の実施形態を図示する。本スキージーユニットもまた細長く、説明中、符号１０１で表示される。スキージーユニットは、スキージーエッジ１０３を備えたスキージー１０２を含み、このスキージーエッジ１０３は、回転式スクリーン印刷装置の運転中、スキージーユニット１０１が取り付けられた回転式スクリーン印刷装置の円筒状スクリーン１０４（図７に図示されている）の内側を圧迫するように設計されている。この例において、望ましい逆圧は、図示された逆圧ロール１０５により供給される。スキージーエッジ１０３の位置で、ブレードスキージー１０２により円筒状スクリーン１０４に押し付けられたプリントペーストは、符号１０７で表示される。逆圧は、他の塗装において、平らなコンベヤーシステム上に横たわりながら供給される剛体かつ分離した基板によってもまた供給され得る。
【００２３】
スキージーユニット１０１はまた、ブレードスキージー１０２が固定されるスキージーホルダー１０８も含んでいる。剛体のスキージーホルダー梁１０９は、スキージーホルダー１０８のために基礎を形成している。
【００２４】
図７と８から分かるように、ブレードスキージー１０２は、スキージーサポート断面１１２により形成された細長くて剛体のスキージーバー、およびスキージーサポート断面１１２に固定されておりスキージーエッジ１０３を形成するエッジストリップ１１３により形成されており、なおかつ、例えばポリウレタンのようなエラストマー材料のように、硬さを備えたわずかに弾力性がある材料で作られているので、印刷される材料における不均一を克服することができる。示された実施形態において、スキージーブレード１１４上に配置されているエッジストリップ１１３は、エッジストリップ１１３の範囲において、スキージーサポート断面１１２に対して緊張を伝える。
【００２５】
スキージーサポート断面１１２は、ボルト１１７（図７に図示されている）又は他の好適な固定手段によりスキージーホルダー梁１０９に固定されたバー１１６をも含むスキージーブレードホルダー１１５の一部を形成している。スキージーサポート断面１１２は、バー１１６に関して一つの角度である。
【００２６】
スキージーサポート断面１１２は、１又はそれ以上のバネヒンジを形成する比較的薄い中間部分１１８を経て、バー１１６に固定されている。実施形態で示されるように、中間部分１１８は、相互に近接して位置される二つのバネヒンジ１１９と１２０を形成する。これらのバネヒンジ１１９及び１２０により、スキージーサポート断面１１２はバー１１６に関してわずかに動くことができる。バネヒンジ１１９及び１２０のバネ特性は、急勾配、すなわちバネヒンジは剛であり、スキージーサポート断面１１２をバー１１６に向かってわずかな距離を動かすために、相当な力が要求される。スキージーホルダー１０８に関してスキージーエッジ１０３が０.１ｍｍ垂直移動（垂直スキージーエッジ移動）するために、ブレードスキージー１０２の幅のミリメーター当り、０.１〜１.０Ｎの力、好ましくは０.４〜０.８Ｎ、詳細には０.６Ｎが要求される。比較のために、スキージーブレードがスキージーホルダーにおいてスキージーエッジと反対の長軸側に押し付けられる従来技術によるスキージーユニットの場合、同じ力の影響下では、スキージーエッジは略１０ｍｍ持上げられることが示される。
【００２７】
バネヒンジ１１９及び１２０を備えるブレードスキージー１０２の全体は、逆圧が消滅した時、スキージーエッジ３が単独で作動位置から多くて１ｍｍ、好ましくは多くて０.５ｍｍの距離を動き得るように設計されている。実際には、スキージーエッジが動き得る距離は、略０.３ｍｍである。
【００２８】
中間部分１１８のバー１１６への接続に加えて、横断面において矩形であり、ストリップ１１６の長軸方向に延びる溝１２１もまた、ストリップ１１６内に配置されている。
【００２９】
スキージーブレード１１４は、細長く、横断面において略Ｌ字型である。スキージーブレード１１４は、スキージーブレード１１４の長軸エッジ部分１２２により、スキージーブレードホルダー１１５に固定されている。長軸エッジ部分１２２は、エッジストリップ１１３と反対側のスキージーブレード１１４上にあり、押し付けバー１２４とボルト１２５（図に描かれている）により、溝１２１内で、溝１２１の側壁１２３に対して確実に固定されている。ボルト１２５は、ストリップ１１６にはめ込まれて、押し付けバー１２４を押している。エッジストリップ１１３が配置されているスキージーブレード１１４の区画１２６は、スキージーサポート断面１１２に対して緊張を伝える。
【００３０】
スキージーブレード１１４は、エッジストリップ１１３の隣に配置されているスキージーブレード１１４の長軸エッジ１２７が、スキージーサポート断面１１２の縁上の突起１２８を圧迫することにより、スキージーブレードホルダー１１５に関して正確に位置されている。加えて、スキージーブレード１１４の他の長軸エッジ１２９が、バー１１６内の溝１２１の底１３０を圧迫することも可能であるが、これは必ずしも必要ではない。
【００３１】
実施形態で示されるように、スキージーサポート断面１１２は、長軸方向において、相互に近接して配置された多数のセグメント１３１に分割されている（図６参照）。セグメント１３１は、相互に同一である。スキージーサポート断面をセグメントに分割することは、基板幅を変更するためのスキージーユニット１０１の詳細な設定にとって、スキージーエッジ１０３が常に、印刷される基板幅のミリメーター当りに実質的に同一の圧縮力を及ぼすという利点を有している。セグメント１３１を圧迫するスキージーブレード１１４は、印刷中、エッジ効果が均一であるように、連続的であることに注意されるべきである。
【００３２】
バネヒンジ１１９及び１２０の比較的高い剛性を考慮して、ブレードスキージー１０２の寸法の正確さ、特にスキージー１０２の幅にわたる断面における寸法の一致に高い要求が置かれることは明らかであろう。
【００３３】
スキージーホルダー８を回転式スクリーン印刷装置（図示せず）に取り付ける取付けサポート１４１及び１４２は、スキージーホルダー１０８の端部に固定されている。
【００３４】
スキージーユニット１０１は、スキージー角度α、すなわちスキージーエッジ１０３を形成するエッジストリップ１１３と円筒状スクリーン１０４（図７参照）との間の角度を調節するために、スキージーエッジ１０３の周りを回転することができる。本発明に係るブレードスキージー１０２の形状により、特定の垂直圧縮力（スキージー幅のミリメーター当り）のためのブレードスキージー１０２の明確な高さは、スキージー角度αから独立している。
【図面の簡単な説明】
【００３５】
【図１】図１は、本発明に係るスキージーユニットの具体的な実施形態の透視図を示す。
【図２】図２は、図１における矢印iiの方向において他方から見た、図１からのスキージーユニットの透視図を示す。
【図３】図３は、図２における矢印iiiの方向から見た、図１に示すスキージーユニットのいくつかの構成要素の透視図を示す。
【図４】図４は、図１における線iiii−iiii上での、図１に示すスキージーユニットの断面を示す。
【図５】図５は、本発明に係るスキージーユニットの他の実施形態の透視図を示す。
【図６】図６は、図５に示すスキージーユニットのスキージーブレードホルダーの透視図を示す。
【図７】図７は、図５における線iii−iii上での、図５に示すスキージーユニットの断面を示す。
【図８】図８は、倍尺での、スキージーブレードがついたスキージーブレードホルダーの断面を示す。
【図１】
2005533683.tif 000003
【図２】
2005533683.tif 000004
【図３】
2005533683.tif 000005
【図４】
2005533683.tif 000006
【図５】
2005533683.tif 000007
【図６】
2005533683.tif 000008
【図７】
2005533683.tif 000009
【図８】
2005533683.tif 000010
【国際調査報告】
2005533683.tif 000011
2005533683.tif 000012